(57)【要約】【課題】  熱に起因する反射鏡の割れを防止すること。【解決手段】  反射鏡を紫外線及び赤外線を透過する基材から構成し、基板が受け取る熱量に起因して該基材の表裏に発生する応力が１０×１０6パスカルを越えないように、基材の形状を定める。例えば、基材を半球面状とし、基材の球面内半径をｒ、基材の球面厚さをｔ、基材が受け取る熱量をＨ，基材のヤング率をＥ，基材の熱伝導率をρ、基材の線膨張係数をαとしたとき、  １０×１０6パスカル＞Ｅ・（α・Ｈ・ｔ）／｛ρ・２π（ｒ＋ｔ/2）2｝とする。【選択図】  図２
2005062735.tif 000002
【特許請求の範囲】
【請求項１】
紫外線及び赤外線を透過する材料のうちから反射鏡を構成する基材を決定し、前記基板が受け取る熱量に起因して該基材の表裏に発生する応力が、前記基材に割れを生じさせる応力より小さくなるように、前記基材のサイズを定めることを特徴とする反射鏡の設計方法。
【請求項２】
前記基材を半球面状とし、前記基材の球面内半径をｒ、前記基材の球面厚さをｔ、前記基材が受け取る熱量をＨ，前記基材のヤング率をＥ，前記基材の熱伝導率をρ、前記基材の線膨張係数をαとしたとき、
１０×１０6パスカル＞Ｅ・（α・Ｈ・ｔ）／｛ρ・２π（ｒ＋ｔ/2）2｝
となるように、球面内半径ｒと球面厚さｔを決定することを特徴とする請求項１記載の反射鏡の設計方法。
【請求項３】
紫外線及び赤外線を透過する半球面状の基材から構成し、前記基材の球面内半径をｒ、前記基材の球面厚さをｔ、前記基材が受け取る熱量をＨ，前記基材のヤング率をＥ，前記基材の熱伝導率をρ、前記基材の線膨張係数をαとしたとき、
１０×１０6パスカル＞Ｅ・（α・Ｈ・ｔ）／｛ρ・２π（ｒ＋ｔ/2）2｝
としたことを特徴とする反射鏡。
【請求項４】
前記基材が、石英、サファイア、透光性アルミナ、結晶化ガラス、水晶、ホウケイ酸ガラス、ホウケイ酸クラウンガラス、白板ガラスの何れかからなることを特徴とする請求項３記載の反射鏡。
【請求項５】
放電用電極が内蔵されたバルブ部と、該バルブ部から射出された光を再度バルブ部へ戻す副反射鏡を備えた発光ランプにおいて、前記副反射鏡として、前記請求項３又は４に記載の反射鏡を備えたことを特徴とする発光ランプ。
【請求項６】
放電用電極が内蔵されたバルブ部と、該バルブ部の後方にあって該バルブ部から射出された光を前方に向ける主反射鏡と、該バルブ部の前方にあって該バルブ部から射出された光を再度バルブ部へ戻す副反射鏡とを備えた照明装置において、前記副反射鏡として、前記請求項３又は４に記載の反射鏡を備えたことを特徴とする照明装置。
【請求項７】
放電用電極が内蔵されたバルブ部と、該バルブ部の後方にあって該バルブ部から射出された光を前方に向ける主反射鏡と、該バルブ部の前方にあって該バルブ部から射出された光を再度バルブ部へ戻す副反射鏡とを備えた照明装置からの照明光を、光変調装置に入射して画像を生成しその画像を投写するプロジェクタにおいて、前記副反射鏡として、前記請求項３又は４に記載の副反射鏡を備えたことを特徴とするプロジェクタ。
【発明の詳細な説明】
【技術分野】
【０００１】
本発明は、光学反射鏡、その反射鏡を備えた発光ランプ、照明装置並びにプロジェクタに関する。
【背景技術】
【０００２】
発光ランプにおいては、光の効率的な利用のために、放電用電極が内蔵されたバルブ部から射出された光を、再度バルブ部に戻す反射鏡（副反射鏡又は第２反射鏡ともいう）を備えるようにしたものがある（例えば、特許文献１参照）。
【特許文献１】特開平８−３１３８２号公報（第２ページ、図１）
【発明の開示】
【発明が解決しようとする課題】
【０００３】
上記反射鏡にはバルブ部で発生した熱が伝達される。特に、上記反射鏡がバルブ部の近くに配置される場合には高温に晒されることになり、その高温によって反射鏡が割れやすくなるため、その割れを回避するような配慮が必要になる。
本発明は、この課題に鑑みてなされたもので、熱による割れを回避させる反射鏡を得ること、並びにその反射鏡を備えた発光ランプ、照明装置およびプロジェクタを提供することを目的とする。
【課題を解決するための手段】
【０００４】
本発明の反射鏡設計方法は、紫外線及び赤外線を透過する材料のうちから反射鏡を構成する基材を決定し、前記基板が受け取る熱量に起因して該基材の表裏に発生する応力が、前記基材に割れを生じさせる応力より小さくなるように、前記基材のサイズを定めることを特徴とする。このような設計により、反射鏡を発光ランプのバルブ近傍に配置した場合にも、熱に起因する反射鏡の割れを回避することができる。また、また、多様な材料を反射鏡の基材として用いることが可能となる。
【０００５】
また、前記基材を半球面状とし、前記基材の球面内半径をｒ、前記基材の球面厚さをｔ、前記基材が受け取る熱量をＨ，前記基材のヤング率をＥ，前記基材の熱伝導率をρ、前記基材の線膨張係数をαとしたとき、
１０×１０6パスカル＞Ｅ・（α・Ｈ・ｔ）／｛ρ・２π（ｒ＋ｔ/2）2｝
となるように、球面内半径ｒと球面厚さｔを決定することを特徴とする。これにより、多様な基板材料を利用して、熱による割れが回避された半球面反射鏡のサイズを決定することができる。
【０００６】
本発明の反射鏡は、紫外線及び赤外線を透過する半球面状の基材から構成し、前記基材の球面内半径をｒ、前記基材の球面厚さをｔ、前記基材が受け取る熱量をＨ，前記基材のヤング率をＥ，前記基材の熱伝導率をρ、前記基材の線膨張係数をαとしたとき、
１０×１０6パスカル＞Ｅ・（α・Ｈ・ｔ）／｛ρ・２π（ｒ＋ｔ/2）2｝
としたことを特徴とする。これにより、反射鏡を発光ランプのバルブ近傍に配置した場合にも、熱に起因する反射鏡の割れが回避される。
なお、前記基材は、石英、サファイア、透光性アルミナ、結晶化ガラス、水晶、ホウケイ酸ガラス、ホウケイ酸クラウンガラス、白板ガラスの何れかから選択してもよい。
【０００７】
本発明の発光ランプは、放電用電極が内蔵されたバルブ部と、該バルブ部から射出された光を再度バルブ部へ戻す副反射鏡を備えた発光ランプにおいて、前記副反射鏡として、上記何れかに記載の反射鏡を備えたことを特徴とする。
【０００８】
本発明の照明装置は、放電用電極が内蔵されたバルブ部と、該バルブ部の後方にあって該バルブ部から射出された光を前方に向ける主反射鏡と、該バルブ部の前方にあって該バルブ部から射出された光を再度バルブ部へ戻す副反射鏡とを備えた照明装置において、前記副反射鏡として、上記何れかに記載の反射鏡を備えたことを特徴とする。
【０００９】
本発明のプロジェクタは、放電用電極が内蔵されたバルブ部と、該バルブ部の後方にあって該バルブ部から射出された光を前方に向ける主反射鏡と、該バルブ部の前方にあって該バルブ部から射出された光を再度バルブ部へ戻す副反射鏡とを備えた照明装置からの照明光を、光変調装置に入射して画像を生成しその画像を投写するプロジェクタにおいて、前記副反射鏡として、上記何れかに記載の副反射鏡を備えたことを特徴とする。
【発明を実施するための最良の形態】
【００１０】
実施形態１
初めに、図１に示すような、厚さ方向中央部における面積がＡ、厚さがｔの矩形平板の基材が、裏面で熱を受け（熱量Ｈ）、その熱が表面に伝導する場合を考える。この場合、基材の表裏での温度差Δｔは式（１）で表せる。
Δｔ＝Ｈ・ｔ／（ρ・Ａ）  …式（１）
そして、基材の裏面の寸法（たとえば、長辺）をｄ１、このｄ１に対応する基材の表面の寸法をｄ２とすると、式（１）による温度差Δｔによって、ｄ１とｄ２間に寸法変化の差Δｄが生じる。基材表裏の温度が同一であれば、それらの寸法変化量ｄも同一で、基材表裏に応力は発生しない。ここでは、元の寸法ｄ１、ｄ２に対して歪を定義せず、基材表裏の温度が同一であった場合の寸法変化量ｄに対して、基材表裏で温度差があった場合の表裏の寸法変化量の差Δｄを利用して歪εを定義する。
【００１１】
寸法変化量の差Δｄは、
Δｄ＝α・ｄ・Δｔ＝α・ｄ・｛（Ｈ・ｔ／（ρ・Ａ）｝  …式（２）
となる。ただし、αは基板の線膨張係数、ρは基板の熱伝導率、Ｈは基材が受ける熱量である。また、歪εは式（３）で表せる。
ε＝Δｄ／ｄ＝｛α・ｄ・Ｈ・ｔ／（ρ・Ａ）｝／ｄ＝α・Ｈ・ｔ／（ρ・Ａ）
…式（３）
このとき、基材の表裏に発生する応力σは式（４）で表せる。
σ＝Ｅ・ε＝Ｅ・｛α・Ｈ・ｔ／（ρ・Ａ）｝  …式（４）
この式（４）で規定される応力σが、基材に割れを生じさせる応力より小さくなっていれば、基材の熱に起因する割れは生じない。
【００１２】
可視光を反射させるための反射鏡として好ましいのは、反射鏡を構成する基材が紫外線及び赤外線を透過する材料であることである。従って、通常は、まずその基材の材料を決定し、その決定された基材について、式（４）で表される応力σが基材に割れを生じさせる応力より小さくなるようにそのサイズを決定すれば、反射鏡の熱による割れを防止できることになる。
【００１３】
次に、図２に示すような、基材を半球面状とし、基材の球面内半径をｒ、基材の球面厚さをｔとした反射鏡について検討する。基材が、ヤング率Ｅ，熱伝導率ρ、線膨張係数αである紫外線及び赤外線を透過する材料から構成され、この基材が受け取る熱量をＨとすると、式（４）の応力σは、式（５）として表せる。
σ＝Ｅ・［（α・Ｈ・ｔ）／｛ρ・２π（ｒ＋ｔ/2）2｝］…式（５）
【００１４】
次に、図３に示すような、発光ランプの放電用電極１ａ，１ｂが内蔵されたバルブ部２に近接してそのバルブ部２の約半分を覆うように配置する反射鏡（副反射鏡又は第２反射鏡とも呼ばれる）５について考える。この場合、反射鏡５が受け取る熱量Ｈは、発光ランプの消費電力（以下ランプ電力という）に応じて定まる。また、図３のような反射鏡５付き発光ランプと反射鏡５がないタイプの発光ランプのエネルギー分布は、それぞれ表１のように表すことができる。このうち、反射鏡５がないタイプの発光ランプのエネルギー分布は、実測により得る。一方、反射鏡５付きの発光ランプのエネルギー分布は、反射鏡５がないタイプの発光ランプのエネルギー分布を基礎に計算により求める。それには、まず、反射鏡５付き発光ランプの可視光の損失を実測する。そして、この可視光の損失を反射鏡５による発光ランプの熱損失増加分とみなして、その増加分を反射鏡５がないタイプの対流・伝導と輻射とのエネルギー分布比に応じて割り振り、反射鏡５がないタイプの発光ランプのエネルギー分布表に加算する。また、可視光のエネルギーについては、上記可視光の損失分を反射鏡５がないタイプの対応部から減算する。そして、その他については、反射鏡５がないタイプのエネルギー分布と同じとすることで、反射鏡５付き発光ランプのエネルギー分布が得られる。
【００１５】
【表１】
2005062735.tif 000003
【００１６】
図３のランプの場合、バルブ部２での発熱のうち反射鏡５に主として影響を与えるのはバルブ部２からの輻射による熱損失エネルギーである。この輻射による熱損失エネルギーを発光ランプの消費電力に応じて比例計算して求めた結果が表２に示されている。ただし、反射鏡５はバルブ部２のほぼ半分しか覆っていないので、表２の半分の値を反射鏡５の受け取る熱量とみなしてよく、そのようにして得られた反射鏡５の受け取る熱量が表３に示されている。
【００１７】
【表２】
2005062735.tif 000004
【００１８】
【表３】
2005062735.tif 000005
【００１９】
発明者らは、半球面状の反射鏡５を想定し、それらの熱による割れについて実験を行った。実験は、反射鏡５を構成する基材の球面内径ｒ＝０．００６８ｍ、基材の球面厚さｔ＝０．００１５ｍ、受け取る熱量Ｔ＝２０．７Ｗ（ランプ電力１６５Ｗの場合）の条件で、紫外線及び赤外線を透過する各種材料について、それぞれ反射鏡５の割れを実験した。実験に用いた基材材料は表４に示されている通りのもので、それらは表４中のヤング率、熱伝導率、線膨張係数を有する。また、それらの値を用いて式（５）の応力σを算出した結果を図４に示した。
【００２０】
【表４】
2005062735.tif 000006
【００２１】
実験によれば、式（５）の応力σが１０×１０6パスカル（１０Ｍｐａ）を越える、水晶（軸⊥）、ホウケイ酸ガラス、ホウケイ酸クラウンガラス（ＢＫ７）、白板ガラス（Ｂ２７０）では割れが発生した。しかしながら、応力σが１０×１０6パスカル未満となる、石英、超耐熱性結晶化ガラス（例えば商品名ネオセラム）、サファイア、透光性アルミナ、結晶化ガラスにおいては割れが発生しなかった。この結果は、各基材について、式（５）の応力σが、１０×１０6パスカルを越えないように、基材の球面内径ｒと基材の球面厚さｔを決定することで、熱に起因する反射鏡５の割れを回避できることを示している。例えば、上記の条件で割れが発生した、水晶（軸⊥）、ホウケイ酸ガラス、ホウケイ酸クラウンガラス（ＢＫ７）、白板ガラス（Ｂ２７０）であっても、図５に示すように、球面内半径ｒと球面肉厚ｔとを決定することで、熱による割れを回避することが可能となる。
【００２２】
なお、実施形態１では、反射鏡５が半球面状の場合を例に説明したが、本発明はこの形状に限定されるものではなく、他の形状、例えば回転楕円面形状の場合にも適用できる。  
【００２３】
実施形態２
次に、実施形態１で説明した反射鏡を副反射鏡として備えた発光ランプ説明する。発光ランプとしては、水銀ランプ、キセノンランプ、メタルハロイドランプなどがあるが、ここでは水銀ランプを例に上げて説明する。図６は本発明の実施形態２に係る水銀ランプ１０Ａの構成図である。図６による水銀ランプ１０Ａは、一対の放電用電極１ａ，１ｂが内蔵された球状（ほぼ球体の形状も含む）のバルブ部２を有する。このバルブ部２の肉厚はどの位置においてもほぼ同じとする。そして、そのバルブ部２の両側にバルブ部２と一体になっていて、そのバルブ部２から連続して左右側に延設された等しい径及び長さの封止部３ａ，３ｂを備える。バルブ部２と封止部３ａ，３ｂとは石英ガラスなどの透明材料により一体的に成形されている。封止部３ａ，３ｂの内部には、電極１ａ，１ｂと接続されたモリブデンからなる金属箔１４ａ，１４ｂが密封され、その金属箔１４ａ，１４ｂには外部につなげられるリード線１５ａ，１５ｂがそれぞれ設けられている。さらに、封止部３ｂには、実施形態１で説明した反射鏡が副反射鏡６として配置されている。副反射鏡６はバルブ部２のほぼ半分を覆うようにバルブ部２に近接していて、無機材料のセメント３１などで封止部３ａ，３ｂに固定されている。なお、図６ではバルブ部２の内部に封入されている水銀や希ガスなどは記載を省略している。
【００２４】
バルブ部２と副反射鏡６との間には、０．２ｍｍ以上１．５ｍｍ程度以下の隙間Ｇを設けるのが好ましい。それは、隙間Ｇが副反射鏡６で覆われている側のバルブ部２の放熱を促進させるからである。なお、副反射鏡６の背面は、その反射面側から入射した光（赤外線、紫外線、反射面側から漏れてきた可視光など）を透過させるように、あるいは、その反射面側から入射した光を拡散反射させるような反射膜や形状を備えるように成形して、副反射鏡６ができるだけ光を吸収しないようにしておく。
【００２５】
この水銀ランプ１０Ａの場合、電極１ａ，１ｂの放電による発光光は、バルブ部２の内部から外部に放射されるが、副反射鏡６のある部分では、放射された光が副反射鏡６で反射されて、再度バルブ部２の内部に入り、副反射鏡６のない側からバルブ部２の外へ再度放射される。水銀ランプ１０Ａの動作中、副反射鏡６はバルブ部２から熱、主として輻射熱を受けるが、副反射鏡６の基材を実施形態１のように設計したことで、その輻射熱に起因する副反射鏡６の割れが防止される。
【００２６】
実施形態３
図７は本発明の実施形態３に係る照明装置１００Ａの構成図である。照明装置１００Ａは、副反射鏡６付きの水銀ランプ１０Ａと、水銀ランプ１０Ａのバルブ部２から後方に射出された光を前方に向けて反射する主反射鏡２０とを備えてなる。主反射鏡２０の形状は、回転楕円面形状、回転放物面形状などとすることができる。水銀ランプ１０Ａは、主反射鏡２０の底部の貫通穴２１にその封止部の一端３ａが挿入され、そこでセメントなどの無機系接着剤２２により主反射鏡２０と一体に固定されている。ここでも、各封止部３ａ，３ｂには、電極１ａ，１ｂと接続されたモリブデンからなる金属箔１４ａ，１４ｂが密封され、その金属箔１４ａ，１４ｂには外部につなげられるリード線１５ａ，１５ｂがそれぞれ設けられている。
【００２７】
主反射鏡２０が回転楕円面形状の場合、電極１ａ，１ｂ間中心は、通常、主反射鏡２０の第１焦点Ｆ１の位置とほぼ同位置に位置決めされる。また、副反射鏡６の反射面がバルブ部２の前側ほぼ半分を包囲していることから、主反射鏡２０の反射面はバルブ部２の後側ほぼ半分をカバーする大きさでよい。これにより、主反射鏡２０は副反射鏡６なしの場合に比べてかなり小さくできる。また、これによって水銀ランプ１０Ａの多くの部分が、主反射鏡２０の反射面開口端より外側に突出している。
【００２８】
以上の構成による照明装置１００Ａは次のように作用する。すなわち、バルブ部２後側からの出射光は、主反射鏡２０により反射されて照明装置１００Ａの前方に向かう。また、バルブ部２前側から出射した光は、副反射鏡６により反射されて再度バルブ部２に戻り、そこから主反射鏡２０に入射する。そして、その光もまた主反射鏡２０に到達しそこで反射されて照明装置１００Ａの前方に向かう。これにより、バルブ部２から射出した光のほとんどが利用可能となる。実施形態３の照明装置１００Ａによれば、光の有効利用のために用いられている副反射鏡６の熱歪みに起因する割れが防止され、光の効率的な供給が安定的に維持される。
【００２９】
実施形態４
図８は前述した照明装置１００Ａを備えたプロジェクタの構成図である。この光学系は、水銀ランプ１０Ａ、主反射鏡２０及び副反射鏡６からなる照明装置１００Ａと、照明装置１００Ａからの出射光を所定の光に調整する手段とを備えた照明光学系３００と、ダイクロイックミラー３８２，３８６、反射ミラー３８４等を有する色光分離光学系３８０と、入射側レンズ３９２、リレーレンズ３９６、反射ミラー３９４，３９８を有するリレー光学系３９０と、各色光に対応するフィールドレンズ４００，４０２，４０４及び光変調装置としての液晶パネル４１０Ｒ，４１０Ｇ，４１０Ｂと、色光合成光学系であるクロスダイクロイックプリズム４２０と、投写レンズ６００とを備えている。
【００３０】
次に、上記構成のプロジェクタの作用を説明する。まず、水銀ランプ１０Ａのバルブ部２の中心より後側からの出射光は、主反射鏡２０により反射されて照明装置１００Ａの前方に向かう。また、バルブ部２の中心より前側からの出射光は、副反射鏡６により反射されて主反射鏡２０に戻った後、主反射鏡２０に向かいそこで反射されて照明装置１００Ａの前方に向かう。
【００３１】
照明装置１００Ａを出た光は凹レンズ２００に入り、そこで光の進行方向が照明光学系３００の光軸１とほぼ平行に調整された後、インテグレータレンズを構成する第１レンズアレイ３２０の各小レンズ３２１に入射する。第１レンズアレイ３２０は、入射光を小レンズ３２１の数に応じた複数の部分光束に分割する。第１レンズアレイ３２０を出た各部分光束は、その各小レンズ３２１にそれぞれ対応した小レンズ３４１を有してなるインテグレータレンズを構成する第２レンズアレイ３４０に入射する。そして、第２レンズアレイ３４０からの出射光は、偏光変換素子アレイ３６０の対応する偏光分離膜（図示省略）の近傍に集光される。その際、遮光板（図示省略）により、偏光変換素子アレイ３６０への入射光のうち、偏光分離膜に対応する部分にのみ光が入射するように調整される。
【００３２】
偏光変換素子アレイ３６０では、そこに入射した光束が同じ種類の直線偏光に変換される。そして、偏光変換素子アレイ３６０で偏光方向が揃えられた複数の部分光束は重畳レンズ３７０に入り、そこで液晶パネル４１０Ｒ，４１０Ｇ，４１０Ｂを照射する各部分光束が、対応するパネル面上で重さなり合うように調整される。
【００３３】
色光分離光学系３８０は、第１及び第２ダイクロイックミラー３８２，３８６を備え、照明光学系から射出される光を、赤、緑、青の３色の色光に分離する機能を有している。第１ダイクロイックミラー３８２は、重畳レンズ３７０から射出される光のうち赤色光成分を透過させるとともに、青色光成分と緑色光成分とを反射する。第１ダイクロイックミラー３８２を透過した赤色光は、反射ミラー３８４で反射され、フィールドレンズ４００を通って赤色光用の液晶パネル４１０Ｒに達する。このフィールドレンズ４００は、重畳レンズ３７０から射出された各部分光束をその中心軸（主光線）に対して平行な光束に変換する。他の液晶パネル４１０Ｇ，４１０Ｂの前に設けられたフィールドレンズ４０２，４０４も同様に作用する。
【００３４】
さらに、第１ダイクロイックミラー３８２で反射された青色光と緑色光のうち、緑色光は第２ダイクロイックミラー３８６によって反射され、フィールドレンズ４０２を通って緑色光用の液晶パネル４１０Ｇに達する。一方、青色光は、第２ダイクロイックミラー３８６を透過し、リレー光学系３９０、すなわち、入射側レンズ３９２、反射ミラー３９４、リレーレンズ３９６、及び反射ミラー３９８を通り、さらにフィールドレンズ４０４を通って青色光用の液晶パネル４１０Ｂに達する。なお、青色光にリレー光学系３９０が用いられているのは、青色光の光路長が他の色光の光路長よりも長いため、光の発散等による光の利用効率の低下を防止するためである。すなわち、入射側レンズ３９２に入射した部分光束をそのまま、フィールドレンズ４０４に伝えるためである。なお、リレー光学系３９０は、３つの色光のうちの青色光を通す構成としたが、赤色光等の他の色光を通す構成としてもよい。
【００３５】
３つの液晶パネル４１０Ｒ，４１０Ｇ，４１０Ｂは、入射した各色光を、与えられた映像情報に従って変調し、各色光の画像を形成する。なお、３つの液晶パネル４１０Ｒ，４１０Ｇ，４１０Ｂの光入射面側、光出射面側には、通常、偏光板が設けられている。
【００３６】
上記の各液晶パネル４１０Ｒ，４１０Ｇ，４１０Ｂから射出された３色の変調光は、これらの変調光を合成してカラー画像を形成する色光合成光学系としての機能を有するクロスダイクロイックプリズム４２０に入る。クロスダイクロイックプリズム４２０には、赤色光を反射する誘電体多層膜と、青色光を反射する誘電体多層膜とが、４つの直角プリズムの界面に略Ｘ字状に形成されている。これらの誘電体多層膜によって赤、緑、青の３色の変調光が合成されて、カラー画像を投写するための合成光が形成される。そして、クロスダイクロイックプリズム４２０で合成された合成光は、最後に投写レンズ６００に入り、そこからスクリーン上にカラー画像として投写表示される。
【００３７】
上記プロジェクタによれば、熱による割れ対策が施された副反射鏡を備えた照明装置１００Ａの作用により、光の効率的利用が安定的に維持される。
【産業上の利用可能性】
【００３８】
本発明の反射鏡は発光ランプの副反射鏡として、本発明の発光ランプ及び照明装置は各種光学装置の光源として利用できる。
【図面の簡単な説明】
【００３９】
【図１】平板基材の外観図。
【図２】反射鏡である半球面状基材の外観図。
【図３】水銀ランプの構成図。
【図４】反射鏡の表裏に発生する各種材料毎の応力比較図
【図５】反射鏡の表裏に発生する応力を１０Ｍｐａにする各種材料毎の球面内半径及び球面厚さの比較図。
【図６】本発明の実施形態２に係る水銀ランプを示す構成図。
【図７】本発明の実施形態３に係る照明装置を示す構成図。
【図８】本発明の実施形態４に係るプロジェクタの光学系を示す構成図。
【符号の説明】
【００４０】
１ａ，１ｂ…電極、２…バルブ部、３ａ，３ｂ…封止部、５…反射鏡、６…副反射鏡、１０Ａ…水銀ランプ、２０…主反射鏡、１００Ａ…照明装置。
【図１】
2005062735.tif 000007
【図２】
2005062735.tif 000008
【図３】
2005062735.tif 000009
【図４】
2005062735.tif 000010
【図５】
2005062735.tif 000011
【図６】
2005062735.tif 000012
【図７】
2005062735.tif 000013
【図８】
2005062735.tif 000014